(57)【要約】【課題】  収納物がフラット状態になる場合に、複数個を連続に畳みやすい真空収納袋を提供する。【解決手段】  真空収納袋１及びの収納ボックス本体２を備える。真空収納袋１には袋本体１０があり、その袋本体１０の上に一つの開放端１１が形成され、その開放端１１にダブルラベル式のジッパー１２が設けられる。その袋本体１０の側面に一つの吸気口１３が設けられ、その袋本体１０底部の外部の周辺に一つのフレーム１５を接続している。又、その収納ボックス本体はボックス２と蓋２７を有し、ボックス２及び蓋２７の間は一体になり、折り畳むことも可能である。更に、収納ボックス本体２にハンドル２０が設けられるので、収納物を収納袋に収納してから、収納ボックス本体２の中に入れることで、整然として畳んで置く実施状態になる。【選択図】    図１
0003102241.tif 000002
【実用新案登録請求の範囲】
【請求項１】
真空収納袋を有し、それは袋本体を備え、その袋本体の上に開放端が形成され、その開放端にダブルラベル式のジッパーが設けられ、その袋本体の側面に吸気口が設けられ、その袋本体の底部の外部の周辺にフレームが接続され、
収納ボックス本体を有し、それはボックスと蓋から校正され、それは折り畳み可能であり、収納物を収納袋に収納してから、収納ボックス本体の中に入れることで、整然として畳んで置くことが可能であることを特徴とする収納セット。
【請求項２】
袋本体の開放端のジッパーに可動のＣタイプクランプが設けられていることを特徴とする請求項１記載の収納セット。
【請求項３】
その袋本体の吸気口の上には吸気弁を設けることも可能であることを特徴とする請求項１記載の収納セット。
【請求項４】
その袋本体の吸気口の上に通気栓を設けるし、その通気栓の上に空気密封管を設けることが可能であることを特徴とする請求項１記載の収納セット。
【請求項５】
その収納ボックス本体のボックス及び蓋を連接して一体で設けることが可能であることを特徴とする請求項１記載の収納セット。
【請求項６】
その収納ボックス本体の底部は柔らかい材質で作られ、その周りがボックスの各側面と接続されることを特徴とする請求項３記載の収納セット。
【請求項７】
その収納ボックス本体にハンドルが設けられることを特徴とする請求項１記載の収納セット。
【考案の詳細な説明】
【技術分野】
【０００１】
本考案は、収納セットに関する。
【背景技術】
【０００２】
従来、ある真空収納袋が発明された。それは蒲団と衣服を収納し易いものである。蒲団のようなものは殆ど体積が大きいので、収納する場合、多大な空間を占める。これは長年蒸し暑い所については、置くことが難しい課題となっている。その理由は、蒲団のようなものは殆ど布などの繊維により成形されている。天然の繊維は湿気を吸収する性質を持って、長期に空気と接触すると、空気の中での湿度により変化するため、布の上にたくさんの塵を付着する。また水分をたくさん吸収するので、環境によってカビかカビの匂いが生じる虞が十分ある。そのため、冬に使用する場合、晴天を選んで、改めて洗って干した後、やっと安心して使用できていた。真空収納袋が発明された後、このような織物を袋の中に収納して、空気を抽出した後、織物はフラットの状態になるため、空間は半分ぐらいに縮小可能となり、空気と接触する機会を完全に離隔するので、収納の効果を達成する。使用する場合、真空の制限を解除すれば、直ちに使用可能である。
【考案の開示】
【考案が解決しようとする課題】
【０００３】
しかしながら、それは真空収納袋の奇妙な機能であるが、従来の各種の真空袋の構造は、普通一つの袋本体を提供するしかない。その後の収納方式を提供しないので、どうやってうまく収納できるのか、すべて個人が考えて発揮するのみである。特に、真空収納袋を使用する場合、収納物がフラット状態になる場合、複数個を連続に畳み難いので、全体収納する場合の畳んで置く及び便利性に影響する。
【０００４】
したがって本考案の目的は、使用上で生じた畳んで置く問題を解決し、最も実際の需要に合わせた収納セットを提供することにある。
【課題を解決するための手段】
【０００５】
上述の目的を達成するために本考案の請求項に記載の収納セットは、一つの真空収納袋及び一つの収納ボックス本体を備える。真空収納袋には一つの袋本体があり、その袋本体の上に一つの開放端が形成される。その開放端にはダブルラベル式のジッパーが設けられ、その袋本体の側面に一つの吸気口が設けられ、その袋本体底部の外部の周辺に一つのフレームを接続している。又、その収納ボックス本体はボックスと蓋を備え、ボックス及び蓋の間は一体となり、折り畳み可能である。更に、収納ボックス本体にハンドルが設けられるので、収納物を収納袋に収納してから、収納ボックス本体の中に入れることで、整然として畳んで置く実施状態になるものである。
【考案を実施するための最良の形態】
【０００６】
以下、本考案の実施例を図面に基づいて説明する。
図１から図６に示すように、本実施例は収納セットに関するものである。その中に、真空収納袋１及び収納ボックス本体２を備える。その真空収納袋１には一つの袋本体１０があり、その袋本体１０に一つの開放端１１が形成される。その開放端１１の上にダブル式のジッパー１２が設けられ、その袋本体１０の側面に吸気口１３が設けられる。図１に示すようにその吸気口１３に吸気弁１４を設けることが可能である。又は図３に示すように、通気栓１４′を設けてから、その通気栓１４′の上に一つの空気密封管１４１′を設けることが可能である。袋本体１０の底部の外部周辺に一つのフレーム１５が設けられ、その真空収納袋の袋本体は通常プラスチック類の素材で作られるので、弾性を備え、折り畳みが容易である。又、収納ボックス本体２にボックス２１及び蓋２７を備える。そのボックス２１及び蓋２７は連接して一体になることが可能である。図の示す通り、ボックス２１の周りはより硬い素材でつくられるのである。例えば、その内部はより硬い紙プレート又は類似のもので成形され、その外部は軟質の布又は類似のもので成形されるが、そのボックス２１の左側面２２、右側面２３の間に折り畳み線２４、折り畳み線２５が設けられ、ボックス２１の底面２６は軟質で収納し易く、ボックスの底面の周りと接続しているので、よりよいの実施状態はシングルの布又は類似のものである。上述による、ボックスは、図２に示すように畳んで置く状態になる。収納ボックス本体２はそのボックス２１の周りにハンドル２０が設けられ、例えば長方形形状のハンドル２０にも曲がる性質を持つ。更にその蓋２７は蓋の面２８がボックス２１の一つの側面の上端と接続するほか、三つの側をそれぞれ下へ向かって折り畳んだフランジ２９が設けられ、それぞれのフランジ２９に折り畳む性質がありお互いの間にも固定で接続する性質がある。図中では一つのバックル３０(図に示されたのは押すバックルであるが、マジックバックル又はボタンなどの似てるものを使っても良い)が設けられ、そうすると、その隣接するフランジ２９の間に連接して固定する動作を実施可能であり、最も便利に折り畳み可能である。又、図５に示すように、その袋本体１０の開放端１１に設けられたジッパー１２ の上に、更に可動的のCタイプクランプ１６を設けることで、ジッパー１２の口を封じる動作をより快速で確実に実施可能とする。それにより、収納したいものを真空収納袋１に収納した後、収納ボックス本体２に入れることで、図４及び図６に示すように、整然として畳んで置く状態が形成されるのである。
【０００７】
上述の構造による実施例は箱である収納ボックス本体の畳み易い性質を応用しながら、真空収納袋の物品を収納する性質に合わせることで、良い使用性が生じる。図４に示すように、一つの蒲団３を真空収納袋１の中に収納した後、収納ボックス本体２の中に入れてから、真空ノズル４(図３を参照する)より、吸気口１３の通気栓１４′(又は図１で示された吸気弁１４の通り)に合わせて、袋本体１０の中での空気を抽出すると、図６の袋本体の実線から点線までの示す状態の通り、蒲団３はぴったりと完全に予め設けたボックスの中に収納され、蓋２７を被うことで、図６の点線から実線までに示す通り、一つの完璧の収納状態になる。更に、一箱、一箱で畳み置けるので、家庭生活がもっと美しくなる。又、袋本体１０にフレーム１５を備え、定位性が生じることで、素晴らしいガイド性が生じ、従来のようなあちこち反ったりなどが生じないため、収納物を完全にボックスの中に入れる状態が形成される。最も安定させるためには、フレームの存在が必要である。更に、袋本体１０を開いて収納物(蒲団又は衣服)を最も便利させるため、フレームによる、その袋を使用する前に安定性を生じ、上述の袋本体を使用した後の安定性に合わせて、十分この考案の特色を現している。又、ボックスと蓋はすべて折り畳んで収納、持ち運びおよび置くなどの特性を備えるため、使用者が冬に蒲団及び衣服を収納する場合、この実施例で収納することで、最も空間を占めない目的を達成可能とする。この考案は全体的に素晴らしい使用性及び収納性を提供し、従来と完全に異なる構造を備えるものである。
【０００８】
上述はこの考案のよりよい実施例の詳細な説明及び図であるが、それによりこの考案を限ることではなく、この考案のすべての範囲は本文で記載された特許範囲を準拠として、特許範囲での精神及びその似てる変化に属する実施例及び似てる構造は、すべてこの考案の中に含めるものである。
【０００９】
この考案の主要の目的は収納セットを提供するものである。その中に、真空収納袋のほか、一つの収納ボックス本体を含めるので、物品を真空収納袋の中に収納した後、収納ボックス本体の中に収納可能であるため、連続に畳み置く問題を解決する。即ち、ボックス本体の構造を利用して、畳み易い性質を生じ、複数個を組み合わせて畳んで、壁の角又はタンスの中に収めることが可能である。更に、本考案はボックス本体の上に折り畳み性質を持つため、全体に使用しない場合、空間を占めない特性を生じさせることで、全体は予め考量性を達成可能であり、組み合わせて使用する便利性も生じる。この考案の最も特別な所は、真空収納袋の底部にフレームが設けられるので、真空収納袋を平坦に収納ボックス本体の中に置く機能があり、空間の利用性をもっと向上可能である。
【００１０】
上述の目的を達成するため、この考案の構造は、一つの真空収納袋及び一つの収納ボックス本体を備える。真空収納袋に一つの袋本体があり、その袋本体の上に一つの開放端が形成され、その開放端にダブルラベル式のジッパーが設けられる。その袋本体の側面に一つの吸気口が設けられ、その袋本体底部の外部の周辺に一つのフレームを接続している。又、その収納ボックス本体はボックスと蓋を有し、ボックス及び蓋の間は一体になり、折り畳むことも可能である。更に、収納ボックス本体にハンドルが設けられるので、収納物を収納袋に収納してから、収納ボックス本体の中に入れることで、整然として畳んで置く実施状態になるものである。
【００１１】
この考案が目的を達成できるための採用する技術、手段及び機能を貴審査委員にもっと理解させるため、一つのベター実施例を上げて、図を合わせて詳しい説明とする。それにより、この考案の目的、特徴及び長所をもっと深く理解可能とする。
【図面の簡単な説明】
【００１２】
【図１】本考案の実施例による収納セットを示す立体分解図である。
【図２】本考案の実施例による収納ボックス本体を折り畳む場合を示す立体図である。
【図３】本考案の別の実施例による収納セットを示す立体分解図である。
【図４】本考案の実施例による収納袋を収納ボックス本体の中に置く場合の立体図である。
【図５】本考案の実施例による収納袋の入り口断面図である。
【図６】本考案の実施例による収納袋を収納した後の断面図である。
【符号の説明】
【００１３】
１  真空収納袋２  収納ボックス本体、３  蒲団、４  真空ノズル、１０  袋本体、１１  開放端、１２  ジッパー、１３  吸気口、１４  吸気弁、１４′  通気栓、１５  フレーム、１６  Cタイプクランプ、２０  ハンドル、２１  ボックス、２２  側面、２３  側面、２４  、２５  折り畳み線、２６  底面、２７  蓋、２８  蓋の面、２９  フランジ、３０  バックル、１４１′  空気密封管
【図１】
0003102241.tif 000003
【図２】
0003102241.tif 000004
【図３】
0003102241.tif 000005
【図４】
0003102241.tif 000006
【図５】
0003102241.tif 000007
【図６】
0003102241.tif 000008